(57)【要約】【課題】解錠はソレノイドを利用した電動式とシリンダー錠によるキー式の二通りで行い、施錠は手動又はシリンダー錠によるキー式で行い電動では行えないようにし、電動で解錠した場合に自動的に施錠されてしまうことがなく、使用態様に応じて扉を非施錠状態に保持することを可能にする。【解決手段】扉２の閉鎖状態を保持するロック機構を解除することにより係合爪３ａ，３ｂが形成してあるロックレバー３の動作が可能となるようにした扉の解錠・施錠装置において、ロック機構を解除して行う前記扉の解錠は、扉テンキーに暗証番号を入力することによりソレノイド１７を作動させて行う電動式解錠と、シリンダー錠７を鍵で操作することにより行うキー式解錠の二方式を備えるとともに、ロック機構をロックして行う扉の施錠は、シリンダー錠を鍵で操作することにより行うキー式施錠と、ロックレバーを手動により動かすことにより行う手動式施錠の二方式を備えている。【選択図】  図４
2010095970.tif 000002
【特許請求の範囲】
【請求項１】
扉の閉鎖状態を保持するロック機構を解除することにより係合爪が形成してあるロックレバーの動作が可能となるようにした扉の解錠・施錠装置において、
前記ロック機構を解除して行う前記扉の解錠は、扉テンキーに暗証番号を入力することによりソレノイドを作動させて行う電動式解錠と、シリンダー錠を鍵で操作することにより行うキー式解錠の二方式を備えるとともに、
前記ロック機構をロックして行う前記扉の施錠は、シリンダー錠を鍵で操作することにより行うキー式施錠と、前記ロック機構を手動により動かすことにより行う手動式施錠の二方式を備えていることを特徴とする扉の解錠・施錠装置。
【請求項２】
扉の閉鎖状態を保持するロック機構を解除することにより係合爪が形成してあるロックレバーの動作が可能となるようにした扉の解錠・施錠装置において、
前記扉の閉鎖状態を保持するための係合爪が形成してあるロックレバーを動かすためのオープンレバーの動作を制御するために、前記オープンレバーに対して係脱可能な解除レバーを設け、ソレノイドの可動鉄心に前記解除レバーを連結し、扉テンキーに暗証番号を入力することにより前記ソレノイドが電源オンとなった時には前記可動鉄心は待機位置より前記ソレノイド本体側に吸引され前記オープンレバーに対する前記解除レバーの係合が解かれて前記オープンレバーが手動で動くようにするとともに、その状態において前記ソレノイドが電源オフとなっても前記解除レバーはオープンロックレバーにより前記オープンレバーに対する係合が解かれた状態が保持されるようにした電動式解錠機構と、
前記オープンロックレバーは前記解除レバーの前記オープンレバーに対する動作を制御するために前記解除レバーに対して係脱可能となっており、前記解除レバーが前記オープンロックレバーにより前記オープンレバーに対する係合が解かれた状態のときに、前記オープンロックレバーを手動で動かすことにより、前記ソレノイドが電源オフの時には前記可動鉄心はスプリングの力により前記待機位置に停止し、前記オープンロックレバーと前記解除レバーが係合するとともに、前記解除レバーが前記オープンレバーと係合し前記オープンレバーの動きが規制されるようにした手動式施錠機構と、
扉表面に鍵孔を設けたシリンダー錠を設け、前記シリンダー錠のカムをキーで動かすことにより前記解除レバーと前記オープンロックレバーが動かされ、前記オープンレバーに対する前記解除レバーの係脱を行えるようにしたキー式解錠・施錠機構と、
を備えることを特徴とする扉の解錠・施錠装置。
【請求項３】
前記シリンダー錠により前記オープンレバーに対する前記解除レバーの係合を解放すると、新規の暗証番号の入力が可能となるようにした請求項２に記載の扉の解錠・施錠装置。
【発明の詳細な説明】
【技術分野】
【０００１】
本発明は、キーボックスや金庫等の扉の解錠・施錠装置に関するものである。特に、解錠はソレノイドを利用した電動式とシリンダー錠によるキー式の二通りで解錠でき、一方施錠は電動では行われないようにしたものである。
【背景技術】
【０００２】
使用者の便宜のために金庫等の扉の解錠・施錠について、テンキー等の入力テンキーにより暗証番号を入力してソレノイドを作動させて解錠・施錠を行う電動式と、キーやダイヤルを操作することにより暗証番号を入力せずに解錠・施錠を行う手動式の両方式を併用したものがある。
【０００３】
例えば、特許文献１に示すものにあっては、電子符号錠の解錠信号に応じて駆動する電動機構と、電子符号錠が施錠状態であっても手動用符号錠を操作することにより解錠及び施錠ができるようになっている。そして、電動機構は給電解放により自己復元するためのスプリングを有し、電源がＯＦＦとなった時には自動的に施錠状態となるようになっている。
【０００４】
また、特許文献２に示すものにあっては、ソレノイドによりロック機構を解除した状態において扉を閉めると、回動板が連結されているバーが金庫本体の枠に当たることにより回動板が回りロック機構の解除状態が解かれ、ロック部材は自動的にロック位置に復帰し、扉は自動的にロックされるようになっている。
【０００５】
また、特許文献３は出入口扉の錠前装置に関するものであるが、機械的施解錠部と、通電により解錠し非通電により施錠するようにした電気的施解錠部を備え、機械的施解錠部と電気的施解錠部が全て連動しない構成となっている。
【特許文献１】特公昭５６ー４０２３２号公報
【特許文献２】特開平８−１９９８７３号公報
【特許文献３】特開２００８−１５０８６６号公報
【発明の開示】
【発明が解決しようとする課題】
【０００６】
上記特許文献１〜３のような電動式と手動式の二方式により解錠・施錠できるものは、電動式によりソレノイドを作動させて解錠した場合、電源がＯＦＦとなった場合は自動的に施錠状態に復帰してしまう構造となっている。
【０００７】
これは、手動操作による施錠を忘れても自動的に施錠されるので安全上便利な場合もあるが、一方煩雑に出し入れをするようなものの場合、扉を閉じるたびに自動的に施錠されてしまい、その都度解錠しなければならず、使用態様によっては自動的に施錠されてしまうのが望ましくない場合もある。
【０００８】
また、テンキーにより電動式で解錠した場合、電動で施錠する際に暗証番号の変更ができることは便利な場合もあるが、暗証番号が知らないうちに変更されてしまい使用に不都合が生じる場合もある。そのためには特定の者しか暗証番号の変更ができないようにしておくことが望ましい。
【０００９】
本発明は、このような問題点を解決するためになされたものであり、その目的とするところは、解錠はテンキー入力によるソレノイドを利用した電動式とシリンダー錠によるキー式の二通りで行い、施錠は手動又はシリンダー錠によるキー式で行い電動では行われないようにした扉の解錠・施錠装置を提供することである。
【課題を解決するための手段】
【００１０】
上記の目的を達成するために、本発明の扉の解錠・施錠装置は扉の閉鎖状態を保持するロック機構を解除することにより係合爪が形成してあるロックレバーの動作が可能となるようにした扉の解錠・施錠装置において、前記ロック機構を解除して行う前記扉の解錠は、扉テンキーに暗証番号を入力することによりソレノイドを作動させて行う電動式解錠と、シリンダー錠を鍵で操作することにより行うキー式解錠の二方式を備えるとともに、前記ロック機構をロックして行う前記扉の施錠は、シリンダー錠を鍵で操作することにより行うキー式施錠と、前記ロック機構を手動により動かすことにより行う手動式施錠の二方式を備えていることを特徴としている。
【００１１】
また、本発明の別の態様は、扉の閉鎖状態を保持するロック機構を解除することにより係合爪が形成してあるロックレバーの動作が可能となるようにした扉の解錠・施錠装置において、前記扉の閉鎖状態を保持するための係合爪が形成してあるロックレバーを動かすためのオープンレバーの動作を制御するために、前記オープンレバーに対して係脱可能な解除レバーを設け、ソレノイドの可動鉄心に前記解除レバーを連結し、扉テンキーに暗証番号を入力することにより前記ソレノイドが電源オンとなった時には前記可動鉄心は停止位置より前記ソレノイド本体側に吸引され前記オープンレバーに対する前記解除レバーの係合が解かれて前記オープンレバーが手動で動くようにするとともに、その状態において前記ソレノイドが電源オフとなっても前記解除レバーはオープンロックレバーにより前記オープンレバーに対する係合が解かれた状態が保持されるようにした電動式解錠機構と、前記オープンロックレバーは前記解除レバーの前記オープンレバーに対する動作を制御するために前記解除レバーに対して係脱可能となっており、前記解除レバーが前記オープンロックレバーにより前記オープンレバーに対する係合が解かれた状態のときに、前記オープンロックレバーを手動で動かすことにより、前記ソレノイドが電源オフの時には前記可動鉄心はスプリングの力により前記待機位置に停止し、前記オープンロックレバーと前記解除レバーが係合するとともに、前記解除レバーが前記オープンレバーと係合し前記オープンレバーの動きが規制されるようにした手動式施錠機構と、扉表面に鍵孔を設けたシリンダー錠を設け、前記シリンダー錠のカムをキーで動かすことにより前記解除レバーと前記オープンロックレバーが動かされ、前記オープンレバーに対する前記解除レバーの係脱を行えるようにしたキー式解錠・施錠機構と、を備えることを特徴としている。
【００１２】
また、本発明の別の態様は、前記発明に加えて前記シリンダー錠により前記オープンレバーに対する前記解除レバーの係合を解放すると、新規の暗証番号の入力が可能となるようにしたものである。
【発明の効果】
【００１３】
解錠はテンキー入力によるソレノイドを利用した電動式とシリンダー錠によるキー式の二通りで行い、施錠は手動又はシリンダー錠によるキー式で行い電動では行われないようにしたので、テンキー入力により電動で解錠した場合に自動的に施錠されてしまうことがなく、使用者の使用状況に応じて扉を非施錠状態に保持することが可能となる。
また、暗証番号の変更はシリンダー錠により解錠した場合にのみ可能としたので、シリンダー錠のキーの保持者以外が暗証番号を変更することができず、暗証番号が知らないうちに変更されることがない。
【発明を実施するための最良の形態】
【００１４】
本発明の扉の解錠・施錠装置の実施の形態を、図面に基づいて説明する。図１は本発明の扉の解錠・施錠装置を用いたキーボックスの一例を示す正面図である。図２は扉を開いた状態の背面から見た斜視図である。図３は図２に示すロック機構部分を拡大した斜視図であり、ロック機構が解除されている状態を示したものである。
【００１５】
図２に示すように、本体１側の枠には扉２の閉鎖状態を保持するロックレバー３の先端の係合爪３ａ及び３ｂと係合するロックプレート凸部４ａが形成されたロックプレート４が設けられている。また図１と図３に示すように、扉２の表面には、ロックレバー３を動かすためのオープンレバー５が扉２の裏側において連結されているオープンノブ６と、手動によりロック機構を解錠・施錠を行うためのシリンダー錠７の鍵孔と、暗証番号を入力するとともにロック機構の解錠を行うための入力テンキー８と、オープンロックレバー９が扉２の裏側において連結されていて手動によりロック機構の施錠を行うためのロックノブ１０が設けられている。
なお、本発明の扉の解錠・施錠装置は図２に示すように扉２の裏側に設けられている。また、扉の適宜箇所には電源となるバッテリーや制御用の配電盤などが装備されていることは従来のものと同様である。
【００１６】
ロック機構を解除すると、オープンノブ６を図１において下方にスライドさせることが可能となり、ロックレバー３を動かすことによりロックレバー３の先端の係合爪３ａ，３ｂと本体１側のロックプレート凸部４ａの係合が解かれ、扉２を開くことが可能となる。また、入力テンキー８は例えばテンキーとその他解錠・施錠に必要なファンクションキーからなっており、正しい暗証番号が入力された場合にはロック機構が解除されるようになっている。一方、暗証番号を入力してロック機構が解除された場合、手動によりロック機構の施錠を行わない限り自動的には施錠されないようになっている。なお、扉の表面の構成は図示したものに限られるものではない。
【実施例】
【００１７】
次に、本発明の扉の解錠・施錠装置のロック機構の詳細を図４〜図９に基づいて説明する。本装置は上述したように扉の裏側に設けられており、扉２表側の入力テンキー８とシリンダー錠７により扉の解錠が行え、またシリンダー錠７とロックノブ１０により扉の施錠が行えるようになっている。
図４は本発明の扉の解錠・施錠装置のロック機構がロックされている状態を示す説明図である。図５は図４に示すロック機構がソレノイドにより解除されている状態を示す説明図である。図６は図４に示すロック機構がソレノイドにより解除され解錠された状態を示す説明図である。図７は本発明の扉の解錠・施錠装置のロック機構がシリンダー錠により解除された状態を示す説明図である。図８は図７に示すロック機構がシリンダー錠により解除され解錠された状態を示す説明図である。図９は図７に示すロック機構がシリンダー錠によりロックされる途中の状態を示す説明図である。
【００１８】
略Ｌ字形形状をしたロックレバー３は端部に係合爪３ａ，３ｂが形成してあり、係合爪３ａ，３ｂが本体１側の枠に設けたロックプレート４のロックプレート凸部４ａと係合して扉２を閉鎖状態に保持する。ロックレバー３は図４に示すように、上側に配置される第１ロックレバー３１と下側に配置される第２ロックレバー３２により構成されている。第１ロックレバー３１はＬ字型形状の角部において軸１１を支点として回動可能となっており、また第２ロックレバー３２はＬ字型形状の角部において軸１２を支点として回動可能となっている。
【００１９】
第２ロックレバー３２の一方の端部には係合爪３ｂが形成してある。他方の端部は図４において左右方向で軸１２を挟んで係合爪３ｂと反対側に位置するように延出してあり、この延出部には後述するオープンレバー５の押し部５ａと当接する当接ローラ１３が配設してある。また、この第２ロックレバー３２の延出部の軸１２と軸１１を結ぶ線上に後述する第１ロックレバー３１の当接部３ｄと当接する押し部３ｃが立ち上げて形成してある。
【００２０】
第１ロックレバー３１の一方の端部には係合爪３ａが形成してあり、他方の端部には第２ロックレバー３２の押し部３ｃと当接する当接部３ｄが形成してある。また、第１ロックレバー３１と第２ロックレバー３２はロックレバーバネ１４により相互に引き寄せられるようになっており、扉の閉鎖状態を保持するようになっている。
【００２１】
扉２の表側のオープンノブ６に連結されていて図４において下端が折れ曲がっている略長方形のオープンレバー５は、オープンノブ６の動きにより図において下方に摺動し、ロックレバーバネ１４の作用により上方に復帰する。そして、オープンレバー５の下端の折れ曲がっている先端角部には、後述する解除レバー１５の係合段部１５ａと係合する係合部５ｂが形成してある。また、オープンレバー５の中間部分には、オープンレバー５の摺動方向に対して斜めの向きに押し部５ａが立ち上げて形成してあり、この押し部５ａは第２ロックレバー３２に配設した当接ローラ１３と当接するようになっている。
【００２２】
オープンレバー５を挟んでロックレバー３と反対の位置には解除レバー１５が軸１６を支点として回動可能に配設してある。解除レバー１５はその上端には後述するオープンロックレバー９の係合凸部９ａと係合する係合部１５ｂが形成してある。また図４において係合部１５ｂの下方は立ち上げるように折り曲げ、後述するシリンダー錠７のカム７ａが当接する当接部１５ｃが形成してある。また、解除レバー１５の下端は解除レバー用ソレノイド１７の可動鉄心１７ａに連結してある。なお、可動鉄心１７ａはスプリング１７ｂにより可動鉄心１７ａが解除レバー用ソレノイド１７のコイル１７ｃより待機位置方向に付勢されている。
【００２３】
そして、解除レバー用ソレノイド１７がオンの時には可動鉄心１７ａがコイル１７ｃ側に吸引されることにより、解除レバー１５は軸１６を支点として図４において反時計方向に回動し、解除レバー１５の係合段部１５ａとオープンレバー５の係合部５ｂの係合が解かれることになる。
【００２４】
解除レバー１５を挟んでオープンレバー５と反対の位置には、扉２の表側のロックノブ１０に連結されているオープンロックレバー９が図において上下方向に摺動可能に配設してある。オープンロックレバー９の上端にオープンロックレバーバネ１８が取り付けてあり、オープンロックレバーバネ１８の他端は扉２の任意箇所に連結してあり、オープンロックレバー９を図４において上方へ引っ張るように付勢してある。
【００２５】
そして、オープンロックレバー９の中央より若干上方の側面には解除レバー１５側へ凸型に出っ張らした係合凸部９ａが形成してある。この係合凸部９ａは、図５に示すようにオープンロックレバー９が上方へ引っ張られた状態では、その先端部は解除レバー１５の係合部１５ｂの先端部と当接し、図４に示すようにオープンロックレバー９が下方に押された状態では、その先端部は解除レバー１５の係合部１５ｂと係合するようになっている。また、略中間部には後述するシリンダー錠７のカム７ａが当接する当接部９ｂが図４において左右方向となるように立ち上げて形成してある。
【００２６】
オープンロックレバー９の略中央部分には空間部が形成してあり、この位置にシリンダー錠７が扉２に固定するようにして設けてある。シリンダー錠７は扉２に固定された状態となっているが、オープンロックレバー９は扉２に対し上下方向に摺動可能となっている。そして、シリンダー錠７のカム７ａはキーを解錠する方向に回した時に回転半径が大きくなるように形成してある。
【００２７】
そして、図４に示すようにオープンロックレバー９の係合凸部９ａと解除レバー１５の係合部１５ａが係合している場合には、シリンダー錠７のカム７ａを回転させた場合、カム７ａはオープンロックレバー９の当接部９ｂとは接触せず、解除レバー１５の当接部１５ｃとは当接するようになっている。また、図５に示すようにオープンロックレバー９がオープンロックレバーバネ１８で上方に引っ張られ、オープンロックレバー９の係合凸部９ａと解除レバー１５の係合部１５ｂが係合せずにその先端どうしが当接している場合には、シリンダー錠７のカム７ａを回転させた場合、カム７ａはオープンロックレバー９の当接部９ｂと当接するようになっている。
【００２８】
次に、上記した本発明の扉の解錠・施錠装置の作用を図４〜図１１に基づいて説明する。
ソレノイド１７による電動式の解錠を図４〜図６により説明する。ロックノブ１０による手動による施錠を図６と図４により説明する。シリンダー錠による解錠と施錠を図７〜図９により説明する。シリンダー錠７で解錠した際の暗証番号の変更を図１０と図１１により説明する。
【００２９】
［施錠状態からソレノイドによる解錠］
図４に示すような施錠状態においては、ソレノイド１７は電源オフとなっており、基本的には可動鉄心１７ａはスプリング１７ｂにより待機位置状態となっている。したがって、解除レバー１５は軸１６を支点として時計方向に回動し、解除レバー１５の係合段部１５ａがオープンレバー５の係合部５ｂを下から受けるように係合している。また、シリンダー錠７のカム７ａは「閉」の位置（図４においてカム７ａが下向きの位置）にある。また、解除レバー１５の係合部１５ｂがオープンロックレバー９の係合凸部９ａと係合している。これがロック位置となる。よって、オープンレバー５は図４において上昇した位置で固定されることになり、オープンレバー５の押し部５ａは第２ロックレバー３２の当接ローラ１３を押圧しない。したがって、ロックレバー３はロックレバーバネ１４により相互に中央に向けて引っ張られ、本体１側の枠のロックプレート凸部４ａに係合して扉の閉鎖状態を保持している。
【００３０】
この状態において入力テンキー８から暗証番号等を入力する。入力テンキー８から入力された暗証番号などが正しいと、ソレノイド１７が一定時間（例えば１秒間）オンとなり可動鉄心１７ａがコイル１７ｃ側へ吸引されることにより解除レバー１５は軸１６を支点として反時計方向に回動する。すると、図５に示すように解除レバー１５の係合段部１５ａとオープンレバー５の係合部５ｂの係合が解かれることになる。また、同時に解除レバー１５の係合部１５ｂとオープンロックレバー９の係合凸部９ａの係合も解かれる。すると、オープンロックレバー９はオープンロックレバーバネ１８により図において上向きに引っ張られて移動し、解除レバー１５の係合部１５ｂとオープンロックレバー９の係合凸部９ａはその先端どうしが当接するようになる。
【００３１】
ソレノイド１７は一定時間経過後は電源オフとなりコイル１７ｃが可動鉄芯１７ａを吸引する力はなくなる。したがって可動鉄芯１７ａはスプリング１７ｂにより元の位置へ戻ろうとして解除レバー１５をロック位置へ戻そうとする。しかし、解除レバー１５の係合部１５ｂはオープンロックレバー９の係合凸部９ａとその先端どうしが当接しているので、解除レバー１５は時計方向へ回転することはできないので、解除レバー１５の係合部１５ｂとオープンロックレバー９の係合凸部９ａの係合が解かれた状態が保持されることになる。
【００３２】
これにより、解除レバー１５の係合段部１５ａとオープンレバー５の係合部５ｂの係合が解かれた状態となっているので、オープンレバー５は自由に動けるようになる。図６に示すようにオープンノブ６を操作してオープンレバー５を図において下方へ動かすと、オープンレバー５の押し部５ａが第２ロックレバー３２に配設した当接ローラ１３を押すことにより第２ロックレバー３２が軸１２を支点として反時計方向に回動する。また、第２ロックレバー３２の押し部３ｃが第１ロックレバー３１の当接部３ｄを押すことにより第１ロックレバー３１が軸１１を支点として時計方向に回動する。よって、第１ロックレバー３１と第２ロックレバー３２はロックレバーバネ１４に抗して開くように（図において上下方向）にそれぞれ回動し、ロックレバー３のロックプレート凸部４ａに対する係合が解かれ、扉２を開くことが可能となる。
【００３３】
扉２を開いた後にオープンノブ６を押し下げることをやめると、第１ロックレバー３１と第２ロックレバー３２はロックレバーバネ１４により引っ張られ、図５に示すようにロックレバー３は元の位置に戻る。すなわち、この状態においては、ロック機構が解除されているので、オープンノブ６によりオープンレバー５を自由に押し下げることができ、ロックレバー３の開閉も自由に行うことが可能となる。
【００３４】
［解錠状態からロックノブによる施錠］
解錠状態において扉２を締めると、ロックレバー３の係合爪３ａ，３ｂはロックプレート凸部４ａにより一旦押し広げられた後、係合爪３ａ，３ｂはロックレバーバネ１４により相互に引き寄せられ、ロックプレート凸部４ａに係合される。この状態において、ロックノブ１０を手動により下方へ押しオープンロックレバー９をオープンロックレバーバネ１８に抗して押し下げると、オープンロックレバー９の係合凸部９ａの先端が解除レバー１５の係合部１５ｂの先端から外れる。そして、図４に示す位置までオープンロックレバー９を押し下げると、オープンロックレバー９の係合凸部９ａに対し解除レバー１５の係合部１５ｂが係合するようにソレノイド１７のスプリング１７ｂにより軸１６を支点として解除レバー１５は時計方向に回動する。すると、解除レバー１５の係合段部１５ａとオープンレバー５の係合部５ｂが係合し、オープンレバー５は移動できないようにロックされる。これにより、扉２は施錠状態となる。
【００３５】
［施錠状態からシリンダー錠による解錠］
図４に示す施錠状態において、シリンダー錠７にキーを差し込みカム７ａを解錠方向（図４において時計方向）に回す。カム７ａが解除レバー１５の当接部１５ｃを徐々に押すと、解除レバー１５は軸１６を支点として反時計方向に回転する。そして、カム７ａが９０度回転すると、図７に示すように解除レバー１５の係合部１５ｂがオープンロックレバー９の係合凸部９ａから外れ、係合が解かれる。すると、オープンロックレバーバネ１８によりオープンロックレバー９は図において上方へ引っ張られ、オープンロックレバー９の係合凸部９ａの先端と解除レバー１５の係合部１５ｂの先端どうしが当接する。
【００３６】
そして、図８に示すようにオープンロックレバー９の係合凸部９ａの先端と解除レバー１５の係合部１５ｂの先端が当接すると同時に、解除レバー１５の係合段部１５ａとオープンレバー５の係合部５ｂの係合が解かれる。これによりオープンレバー５はロックが解除され自由に動けるようになる。よって、オープンノブ６を押し下げてオープンレバー５を下方へ移動させることにより第１ロックレバー３１と第２ロックレバー３２がそれぞれ回動し、扉２を開くことができる。
【００３７】
なお、図４に示すように、オープンロックレバー９の係合凸部９ａと解除レバー１５の係合部１５ｂが係合している状態、すなわちオープンロックレバー９がオープンロックレバーバネ１８に抗して下に下がっている状態では、シリンダー錠７のカム７ａは回転させてもオープンロックレバー９の当接部９ｂとは接触しないで回転可能となっている。
【００３８】
［シリンダー錠による解錠状態からシリンダー錠による施錠］
図８に示す解錠状態において扉２を締めると、ロックレバー３の係合爪３ａ，３ｂはロックプレート凸部４ａにより一旦押し広げられた後、係合爪３ａ，３ｂはロックレバーバネ１４により相互に引き寄せられ、ロックプレート凸部４ａに係合される。この状態において、シリンダー錠７のキーを図９に示すように施錠する方向に回転させる（図において反時計方向）。
【００３９】
すると、図９に示すようにシリンダー錠７のカム７ａがオープンロックレバー９の当接部９ｂに当接し、オープンロックレバー９をオープンロックレバーバネ１８に抗して徐々に押し下げる。そして、オープンロックレバー９の係合凸部９ａの先端が解除レバー１５の係合部１５ｂの先端から外れる。そして、図４に示す位置までオープンロックレバー９が押し下げられると、オープンロックレバー９の係合凸部９ａに対し解除レバー１５の係合部１５ｂが係合するようにソレノイド１７のスプリング１７ｂにより軸１６を支点として解除レバー１５が時計方向に回動する。すると、解除レバー１５の係合段部１５ａとオープンレバー５の係合部５ｂが係合し、オープンレバー５は移動できないようにロックされる。これにより、扉２は施錠状態となる。
【００４０】
［シリンダー錠による解錠状態からシリンダー錠による施錠時の暗証番号の入力］
図１０は本発明の扉の解錠・施錠装置のロック機構がシリンダー錠により解除されている時のマイクロスイッチの状態を示す説明図である。図１１は本発明の扉の解錠・施錠装置のロック機構がシリンダー錠によりロックされている時のマイクロスイッチの状態を示す説明図である。
【００４１】
図１０に示すように、シリンダー錠７のカム７ａにより解錠されたことを検知するために、カム７ａが解錠位置にある時にスイッチが入る位置にマイクロスイッチ１９が設けられている。図示した例では、カム７ａがマイクロスイッチ１９と直接接触するようになっている。また、マイクロスイッチ１９はカム７ａにより押された場合にのみＯＮとなり、カム７ａが離れた場合はＯＦＦとなる。
【００４２】
そして、マイクロスイッチ１９がＯＮとなった時にのみ暗証番号の変更が可能なようにしておく。このようにしておくと、キーによりカム７ａを回転させた時にのみマイクロスイッチ１９をＯＮとなるので、シリンダー錠７により解錠した場合のみマイクロスイッチ１９がＯＮとなる。したがって、シリンダー錠７をキーで解錠した場合にのみ暗証番号の変更が可能となり、キーの所有者のみが暗証番号を変更でき、他の者が勝手に暗証番号を変更できない。
【産業上の利用可能性】
【００４３】
本発明の扉の解錠・施錠装置は金庫やキーボックスの扉に限定されるものではなく、電源を確保できるものについては各種の扉について使用することが可能である。特に、解錠状態を長く保ちたい用途に向いており、その使用範囲は極めて広いものである。
【図面の簡単な説明】
【００４４】
【図１】本発明の扉の解錠・施錠装置を用いたキーボックスの正面図である。
【図２】図１のキーボックスの扉を開いた状態の背面から見た斜視図である。
【図３】図２に示すロック機構部分を拡大した斜視図であり、ロック機構が解除されている状態を示す。
【図４】本発明の扉の解錠・施錠装置のロック機構がロックされている状態を示す説明図である。
【図５】図４に示すロック機構がソレノイドにより解除されている状態を示す説明図である。
【図６】図４に示すロック機構がソレノイドにより解除され解錠された状態を示す説明図である。
【図７】本発明の扉の解錠・施錠装置のロック機構がシリンダー錠により解除された状態を示す説明図である。
【図８】図７に示すロック機構がシリンダー錠により解除され解錠された状態を示す説明図である。
【図９】図７に示すロック機構がシリンダー錠によりロックされる途中の状態を示す説明図である。
【図１０】本発明の扉の解錠・施錠装置のロック機構がシリンダー錠により解除されている時のマイクロスイッチの状態を示す説明図である。
【図１１】本発明の扉の解錠・施錠装置のロック機構がシリンダー錠によりロックされている時のマイクロスイッチの状態を示す説明図である。
【符号の説明】
【００４５】
１      本体
２      扉
３      ロックレバー
３１    第１ロックレバー
３２    第２ロックレバー
３ａ    係合爪
３ｂ    係合爪
３ｃ    押し部
３ｄ    当接部
４      ロックプレート
４ａ    ロックプレート凸部
５      オープンレバー
５ａ    押し部
５ｂ    係合部
６      オープンノブ
７      シリンダー錠
７ａ    カム
８      入力テンキー
９      オープンロックレバー
９ａ    係合凸部
９ｂ    当接部
１０      ロックノブ
１１      軸
１２      軸
１３      当接ローラ
１４      ロックレバーバネ
１５      解除レバー
１５ａ    係合段部
１５ｂ    係合部
１５ｃ    当接部
１６      軸
１７      ソレノイド
１７ａ    可動鉄心
１７ｂ    スプリング
１７ｃ    コイル
１８      オープンロックレバーバネ
１９      マイクロスイッチ
【図１】
2010095970.tif 000003
【図２】
2010095970.tif 000004
【図３】
2010095970.tif 000005
【図４】
2010095970.tif 000006
【図５】
2010095970.tif 000007
【図６】
2010095970.tif 000008
【図７】
2010095970.tif 000009
【図８】
2010095970.tif 000010
【図９】
2010095970.tif 000011
【図１０】
2010095970.tif 000012
【図１１】
2010095970.tif 000013